(57)【要約】【課題】複数の照明器具の少なくとも消灯タイミングのばらつきの視認性を低減した調光器を提供する。【解決手段】調光操作器12の操作により設定された調光レベルで照明器具11を点灯させる調光器13である。調光器13は、設定部23と、制御部24とを備える。設定部23は、少なくとも調光操作器12の操作による調光レベル低下時の調光下限値を設定可能である。制御部24は、調光下限値に対応する光出力から全光出力までの範囲で照明器具11を調光操作器12の操作により設定された調光レベルに対応させて点灯させるように制御する。【選択図】図１
2018166032.tif 000002
【特許請求の範囲】
【請求項１】
調光操作器の操作により設定された調光レベルで照明負荷を点灯させる調光器であって、
少なくとも前記調光操作器の操作による調光レベル低下時の調光下限値を設定可能な設定部と；
前記調光下限値に対応する光出力から全光出力までの範囲で照明負荷を前記調光操作器の操作により設定された調光レベルに対応させて点灯させるように制御する制御部と；
を具備することを特徴とする調光器。
【請求項２】
前記設定部は、前記調光操作器の操作による調光レベル上昇時と低下時とのそれぞれに対応した調光下限値を設定可能である
ことを特徴とする請求項１記載の調光器。
【発明の詳細な説明】
【技術分野】
【０００１】
本発明の実施形態は、照明負荷を調光制御する調光器に関する。
【背景技術】
【０００２】
従来、オペレータの操作に従い調光操作器から出力された調光信号を調光器で受信し、この調光器から、調光信号を含む位相または電圧を電源として出力することで、複数の光源である電球型ＬＥＤ照明器具（ＬＥＤ電球）などを調光する調光システムがある。
【０００３】
このような調光システムにおいて、特に、ハロゲンタイプなどの小型の電球型ＬＥＤ照明器具については、回路のばらつきに起因する調光下限値での光出力のばらつきを照明器具側で抑制することが容易でなく、照明の切れ際で器具個々の消灯タイミングが異なる場合がある。このような照明の切れ際のタイミングのずれは視認されやすいため、複数の照明器具の少なくとも消灯タイミングのばらつきを抑制することが求められる。
【先行技術文献】
【特許文献】
【０００４】
【特許文献１】特許第５０５８７７８号公報
【発明の概要】
【発明が解決しようとする課題】
【０００５】
本発明が解決しようとする課題は、複数の照明負荷の少なくとも消灯タイミングのばらつきの視認性を低減した調光器を提供することである。
【課題を解決するための手段】
【０００６】
実施形態の調光器は、調光操作器の操作により設定された調光レベルで照明負荷を点灯させる調光器である。この調光器は、設定部と、制御部とを備える。設定部は、少なくとも調光操作器の操作による調光レベル低下時の調光下限値を設定可能である。制御部は、調光下限値に対応する光出力から全光出力までの範囲で照明負荷を調光操作器の操作により設定された調光レベルに対応させて点灯させるように制御する。
【発明の効果】
【０００７】
本発明によれば、複数の照明負荷の少なくとも消灯タイミングのばらつきの視認性を低減することが期待できる。
【図面の簡単な説明】
【０００８】
【図１】一実施形態を示す調光器のブロック図である。
【図２】図３のグラフに基づき同上調光器の制御部により変換された光出力特性の一例を示すグラフである。
【図３】同上調光器の光出力特性の一例を示すグラフである。
【発明を実施するための形態】
【０００９】
以下、一実施形態を、図１ないし図３を参照して説明する。
【００１０】
図１に調光システム10を示す。この調光システム10は、複数の照明負荷である照明器具11と、調光操作器12と、調光器13とを有している。
【００１１】
照明器具11は、例えば図示しない発光ダイオード（ＬＥＤ）などの発光素子を有する器具である。本実施形態において、この照明器具11は、例えばハロゲンタイプなどの小型のＬＥＤ電球であり、既知の構成により形成されている。この照明器具11内には、発光素子の点灯用の点灯回路が配置されている。
【００１２】
調光操作器12は、照明器具11の調光レベルを操作設定する、例えば調光卓であり、照明器具11の発光素子を調光点灯させる調光信号DIMを出力するものである。この調光操作器12は、図示しないが、操作部、および、調光制御部などを備えている。また、この調光操作器12は、ディスプレイ画面などの図示しない表示部を備えていてもよい。
【００１３】
操作部は、手動操作される図示しないフェーダやエンコーダなどの操作子を備え、この操作子の操作（操作量）に応じた調光操作レベル信号を電圧値にて調光制御部に出力するように形成されている。
【００１４】
調光制御部は、例えばマイコンなどであり、操作部から出力された調光操作レベル信号に応じて、設定された調光レベルに対応する調光信号DIMを調光器13に出力するように形成されている。この調光信号DIMは、例えば０〜２５５の２５６階調を有するＤＭＸ信号などが用いられ、照明器具11の発光素子の調光レベル０％〜１００％に対応している。
【００１５】
調光器13は、調光操作器12の操作によりこの調光操作器12から送信された調光信号DIMに応じて照明器具11の光出力（調光レベル）を制御する調光制御信号DIM1を出力するものである。この調光器13は、入力部21を備えている。また、この調光器13は、検出部22を備えている。さらに、この調光器13は、設定部23を備えている。また、この調光器13は、制御部24を備えている。さらに、この調光器13は、出力部25を備えている。そして、この調光器13は、１個または複数個の照明器具11のいずれに接続されていてもよい。
【００１６】
入力部21は、例えば調光操作器12から送信された調光信号DIMが入力される端子である。
【００１７】
検出部22は、調光操作器12の操作が調光レベルの増減のいずれであるかを検出するものである。例えば、この検出部22は、調光操作器12から送信され入力部21に入力された調光信号DIMの変化を検出することで、調光操作器12の操作が、調光レベルを上昇させる操作なのか、調光レベルを低下させる操作なのかを検出している。
【００１８】
設定部23は、少なくとも調光操作器12の操作による調光レベル低下時の調光下限値を任意に設定可能なものである。この設定部23は、例えば調光器13に備えられたボタンなどを介してオペレータが手動入力操作可能なものとするが、例えば照度センサなどを有し、各照明器具11の調光レベルの変化に対する光出力の変化の割合である光出力特性に応じて自動設定するものなどでもよい。また、例えば、この設定部23は、調光操作器12の操作による調光レベル上昇時と低下時とのそれぞれの調光下限値を任意設定するようにしてもよい。これら調光下限値は、調光操作器12の操作により調光レベルを上昇させるときと低下させるときとで同一でもよいし、互いに異なっていてもよい（いずれか一方が他方より大きくてもよい）が、例えば調光レベルを上昇させるとき（照明器具11の点き際）の調光下限値よりも、調光レベルを低下させるとき（照明器具11の切れ際）の調光下限値を小さくすることが好ましい。これらの調光下限値は、設定部23を操作してオペレータが直接個別に設定してもよいし、オペレータによる設定部23の操作によって設定された調光下限値に基づき、例えばオペレータにより設定された調光下限値を所定値オフセットすることなどにより、自動的に複数設定されてもよい。
【００１９】
ここで、各調光下限値は、すべての照明器具11が確実に点灯している調光レベルとなるように設定されることが好ましい。例えば図３に複数の実線で示す光出力特性を有する複数の照明器具11の場合には、すべての照明器具11が切れ際（点き際）で確実に点灯している例えば調光レベル２％を調光下限値Ｌとして設定することができる。
【００２０】
制御部24は、照明器具11を調光操作器12の操作により設定された調光レベルに対応させて、設定部23により設定された調光下限値に対応する光出力から全光出力までの範囲で点灯させるように制御するものである。すなわち、この制御部24は、設定部23により設定された調光下限値から全光調光値までの照明器具11の光出力を調光レベルに対応して分割する。換言すれば、制御部24は、各照明器具11の光出力特性における調光レベルと光出力との対応関係を、調光レベル０％〜１００％が設定部23により設定された調光下限値に対応する光出力（調光下限出力）から全光出力までの光出力に対応するように変換する。例えば、図３に実線で示す光出力特性を有する照明器具11の場合、設定部23（図１）により調光下限値Ｌが調光レベル２％に設定されると、この光出力特性での調光レベル２％〜１００％の光出力が、調光操作器12（図１）で設定される調光レベル０％〜１００％での光出力となるように対応関係が変換される（図２）。この変換は、演算により行ってもよいし、記憶されたテーブルなどを参照して行ってもよい。なお、図１に示す制御部24は、設定部23により、調光操作器12の操作による調光レベル上昇時と低下時とのそれぞれの調光下限値が設定されている場合、検出部22による調光操作器12の操作の検出に対応して、これら調光下限値からいずれかを選択することができる。具体的に、この制御部24は、調光操作器12から入力部21に入力された調光信号DIMから、設定部23により設定された調光下限値に基づき調光制御信号DIM1を生成し、この調光制御信号DIM1を出力部25から照明器具11へと出力することで、照明器具11を点灯制御する。本実施形態において、調光制御信号DIM1は、例えばオンデューティを有するＰＷＭ信号である。
【００２１】
出力部25は、例えば制御部24により変換された調光制御信号DIM1を複数の照明器具11に出力する端子である。
【００２２】
次に、上記一実施形態の動作について説明する。
【００２３】
調光操作器12（操作部の操作子）が操作されると、この調光操作器12（調光制御部）が調光レベルに応じた調光信号DIMを調光器13に出力する。
【００２４】
調光器13では、制御部24が、調光操作器12から入力部21に入力された調光信号DIMから、設定部23により設定された調光下限値に基づき調光制御信号DIM1を生成する。このとき、制御部24は、検出部22により検出した調光操作器12の操作に応じて、設定部23により設定された各調光下限値からいずれかを選択し、この選択した調光下限値に基づいて調光制御信号DIM1を生成する。そして、調光器13では、制御部24が、生成した調光制御信号DIM1を出力部25から照明器具11へと出力する。
【００２５】
照明器具11では、点灯回路が、調光器13の出力部25から出力された調光制御信号DIM1により発光素子を点灯させる。具体的に、例えば点灯回路は、ＰＷＭ信号である調光制御信号DIM1のオンデューティに応じた調光レベルで発光素子を点灯させる。
【００２６】
このように、本実施形態によれば、少なくとも調光操作器12の操作による調光レベル低下時の調光下限値を設定部23により設定し、制御部24が、調光下限値に対応する光出力から全光出力までの範囲で照明器具11を調光操作器12の操作により設定された調光レベルに対応させて点灯させるように制御することで、例えば照明器具11が確実に点灯している調光レベルを調光下限値として設定すれば、複数の照明器具11を光出力特性のばらつきに拘らず同時に消灯させることが可能となり、複数の照明器具11の少なくとも消灯タイミングのばらつきの視認性を低減できる。
【００２７】
また、照明器具11は、点灯タイミングが多少ばらついても視認されにくく、違和感が少ないものの、例えば調光操作器12の操作による調光レベル上昇時と低下時とのそれぞれに対応した調光下限値を設定部23により設定可能とすることで、例えば照明器具11が確実に点灯している調光レベルをそれぞれの調光下限値として設定すれば、複数の照明器具11を光出力特性のばらつきに拘らず同時に消灯および点灯させることが可能となり、複数の照明器具11の消灯タイミングおよび点灯タイミングのそれぞれのばらつきの視認性を低減できる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
11    照明負荷である照明器具
12    調光操作器
13    調光器
23    設定部
24    制御部
【図１】
2018166032.tif 000003
【図２】
2018166032.tif 000004
【図３】
2018166032.tif 000005